(57)【要約】【課題】穀物乾燥機に配設された遠赤外線放射体の表面温度および、遠赤外線放射体から放射される電磁波の波長を指定して、穀物の乾燥に有効な遠赤外線を穀物に照射し、穀物を均一に、しかも品質よく迅速に乾燥させることが出来る遠赤外線利用の穀物乾燥機を提供する。【解決手段】貯留タンク３に貯留された穀物２は、穀物排出部５の排出バルブ４の回転させることで穀物２を貯留タンク３内から、排出口６をへて貯留タンク３外に落下排出され、落下していく穀物２に遠赤外線放射体１の表面温度を１８９℃から８１６℃として遠赤外線放射体から放射されるスペクトル中心波長が６．２７μｍから２．６６μｍの遠赤外線を散粒状または薄層状に穀物２に対向して照射する。【選択図】          図１
2004301464.tif 000002
【特許請求の範囲】
【請求項１】
穀物を遠赤外線で乾燥する乾燥機であって、穀物に遠赤外線を放射する遠赤外線放射体の表面温度を１８９℃から８１６℃とし、遠赤外線放射体から放射される遠赤外線のスペクトル中心波長は、６．２７μｍから２．６６μｍとすることを特徴とする遠赤外線利用の穀物乾燥機。
【請求項２】
穀物が散粒状または薄層状に流下又は落下する面に対向するように遠赤外線放射体配設したことを特徴とする、請求項１記載の遠赤外線利用の穀物乾燥機。
【請求項３】
穀物が堆積流下する堆積流下面に対し、遠赤外線放射体が対向するように配設されたことを特徴とする、請求項１記載の遠赤外線利用の穀物乾燥機。
【請求項４】
穀物が堆積流下する堆積表面に対し、遠赤外線放射体が対向するように配設されたことを特徴とする、請求項１記載の遠赤外線利用の穀物乾燥機。
【請求項５】
穀物が水平方向に搬送される搬送面に対して、遠赤外線放射体が対向するように配設されたことを特徴とする、請求項１記載の遠赤外線利用の穀物乾燥機。
【請求項６】
前後方向に長い乾燥機本体内に、貯留槽と、配列方向を左右方向あるいは前後方向とした複数列の通風乾燥部、繰出し部及び取出し槽とを互いに連通出来るよう重設したものであって、前記取出し槽内には、繰出し部より取出し槽内に散粒状若しくは薄層状状態をもって排出された穀物に対して、遠赤外線放射熱を放射する遠赤外線放射体を配設したことを特徴とする、請求項１または請求項２記載の遠赤外線利用の穀物乾燥機。
【発明の詳細な説明】
【０００１】
【発明の属する技術分野】
本発明は、流動する穀物に対し遠赤外線放射体の温度と、放射体から照射される遠赤外線のスペクトル波長を限定して穀物の乾燥にもっとも有効な照射を行い、高品質の穀物乾燥を効率よく得ることが出来る遠赤外線穀物乾燥機に関する。
【０００２】
【従来の技術】
従来、穀物に遠赤外線を照射し穀物内部の加温をおこなって穀物内部の水分を均一化する穀物乾燥装置は、本出願前例えば特開昭６２−２１３６８０号公報および特開平２−１０１３７８号公報に記載されている。
【０００３】
また、穀物を散粒状に落下させ、その散粒落下面に対向して遠赤外線放射体を配設し、遠赤外線を穀物に照射する穀物乾燥装置は、本出願前特開平８−１４７４５号に記載され、また貯留槽から取出し室に流下する穀物に乾燥風をあて乾燥する乾燥室内に遠赤外線放射体を配設して、乾燥室内を流下する穀物に遠赤外線を照射する穀物乾燥装置は、本出願前例えば特開昭６１−１９５２６５号公報に記載されて公知である。また、特公平５−２２８３４号公報には、穀物の乾燥に用いる遠赤外線を「波長２０μ以上」とすることが記載されている。
【０００４】
【発明が解決しようとする課題】
遠赤外線は波長が約５００μｍから３μｍの範囲の電磁波であるが、この波長範囲の全てが穀物の乾燥に有利に働くものではなく、穀物の乾燥に有効な波長範囲があることを、本出願人は実験で解明したものである。
【０００５】
本発明は、穀物乾燥機に配設された遠赤外線放射体の表面温度および、遠赤外線放射体から放射される電磁波の波長を特定して、穀物の乾燥に有効な遠赤外線を穀物に照射し、穀物を均一に、しかも品質よく迅速に乾燥させることが出来る遠赤外線利用の穀物乾燥機を提供することを目的としている。
【０００６】
【課題を解決するための手段】
上記目的を達成させるために、本発明における遠赤外線利用の穀物乾燥機においては、請求項１ないし請求項６に係る遠赤外線利用の穀物乾燥機を提案するものである。
【０００７】
即ち、請求項１に係る遠赤外線利用の穀物乾燥機は、穀物を遠赤外線で乾燥する乾燥機であって、穀物に遠赤外線を放射する遠赤外線放射体の表面温度を１８９℃から８１６℃とし、遠赤外線放射体から放射される遠赤外線のスペクトル中心波長は、６．２７μｍから２．６６μｍとすることを特徴とするものである。
【０００８】
請求項２に係る遠赤外線利用の穀物乾燥機は、請求項１記載の遠赤外線利用の穀物乾燥機において、穀物が散粒状または薄層状に流下又は落下する面に対向するように遠赤外線放射体配設したことを特徴とするものである。
【０００９】
請求項３に係る遠赤外線利用の穀物乾燥機は、請求項１記載の遠赤外線利用の穀物乾燥機において、穀物が堆積流下する堆積流下面に対し、遠赤外線放射体が対向するように配設されたことを特徴とするものである。
【００１０】
請求項４に係る遠赤外線利用の穀物乾燥機は、請求項１記載の遠赤外線利用の穀物乾燥機において、穀物が堆積流下する堆積表面に対し、遠赤外線放射体が対向するように配設されたことを特徴とするものである。
【００１１】
請求項５に係る遠赤外線利用の穀物乾燥機は、請求項１記載の遠赤外線利用の穀物乾燥機において、穀物が水平方向に搬送される搬送面に対して、遠赤外線放射体が対向するように配設されたことを特徴とするものである。
【００１２】
請求項６に係る遠赤外線利用の穀物乾燥機は、請求項１または請求項２記載の遠赤外線利用の穀物乾燥機において、前後方向に長い乾燥機本体内に、貯留槽と、配列方向を左右方向あるいは前後方向とした複数列の通風乾燥部、繰出し部及び取出し槽とを互いに連通出来るよう重設したものであって、前記取出し槽内には、繰出し部より取出し槽内に散粒状若しくは薄層状状態をもって排出された穀物に対して、遠赤外線放射熱を放射する遠赤外線放射体を配設したことを特徴とするものである。
【００１３】
【発明の実施の形態】
遠赤外線は、波長が約５００μｍから３μｍの赤外線の中の長波長領域の電磁波であって、この電磁波とは物質を構成する原子間の結合格子の「振動」やそれらの組み合わせ結果による分子の「伸縮・変角振動」「回転振動」などから「放出」されたり「吸収」されたりして、互いに直交する電場と磁場が、一定の振動を繰り返しながら物質中を進行するものである。
【００１４】
このとき、進路の近くにある原子結合や分子運動が作り出す「電場」や「磁場」の振動との相互関係の有無や、程度によってその進路が妨げられたり、吸収されて消滅したり、減衰したりする。
【００１５】
一般に、水素、酸素、窒素など同種の原子から成る「２原子分子」に対しては赤外線は不感であるので、空気中の酸素や窒素には吸収されないで「透過」する。
【００１６】
それと対称的に水は遠赤外線を吸収する。水の分子は酸素原子を真中に約１０４度の角度で左右に開いた二つの「Ｏ−Ｈ結合」からできており、水分子の固有の振動数は、酸素の両側のＯ−Ｈ結合が、同時に伸びたり縮んだりする「対称伸縮振動」（波数  ３６５６ｃｍ−１）、一方が伸びた時にもう一方が縮む「非対称伸縮振動」（波数  ３７５６ｃｍ−１）、酸素を中心に二つの結合水素が互いに反発したり引き合ったりする結果、「Ｏ−Ｈ結合」の結合角度が約１０４度に開閉する「変角振動」（波数  １５９４ｃｍ−１）があって、これらを水分子の「基準振動」という。
【００１７】
これらの波数を基に、遠赤外線放射に対する「水の共鳴波長」は、それぞれの波数の逆数であるから、それぞれ「２．７４μｍ」「２．６６μｍ」「６．２７μｍ」となり、この波長は水分子を有効に振動させるものである。
【００１８】
穀物を早く又は均一に乾燥させる方法として、穀物内部の穀温を上昇させ、内部水分を表面に移行させ、穀物の内部と表面との水分差を無くすことで、穀物内部の水分差で生じる胴割れ等が発生せず高品質に早く乾燥できることは知られている。
【００１９】
そこで穀物内部を加温させるため遠赤外線を穀物に照射し、穀物に含まれる水分にいかに効率よく有効な遠赤外線を吸収させ穀物の温度を上昇させること、即ち前記遠赤外線波長「２．７４μｍ」「２．６６μｍ」「６．２７μｍ」の照射が重要になる。
【００２０】
上記の水に吸収されやすい波長「２．７４μｍ」「２．６６μｍ」「６．２７μｍ」の遠赤外線を得るためには、下記「ウィーンの変位則」の式より、放射体の表面温度を知ることが出来る。
λ＝２８９７．８／Ｔ
λ：放射スペクトル中心波長                  μｍ
Ｔ：遠赤外線放射体の表面温度（無通風時）    °Ｋ（２７３．１５＋ｔ℃）
上記式より
波長２．７４μｍでは      １０５７．５°Ｋ＝７８４．４℃
波長２．６６μｍでは      １０８９．３°Ｋ＝８１６．２℃
波長６．２７μｍでは        ４６２．２°Ｋ＝１８９．０℃
【００２１】
以上のように、水に吸収されやすい波長と、その波長を放射する放射体の表面温度との関係から、波長を６．２７μｍから２．６６μｍのいずれかの特定の範囲内の波長及び、放射体の表面温度１８９．０℃から８１６．２℃のいずれかの特定の範囲内の温度とし、穀物にこの範囲の遠赤外線を放射して穀物内部の水を振動させ、穀物自体を暖め、穀物内の水分差を縮小させて、穀物表面に移動した水分を早く除去することで乾燥をしようとるするものである。
【００２２】
図１には本発明に係る遠赤外線の「水の赤外吸収における吸収係数の波長依存性」を表すグラフ。図２には本発明に係る遠赤外線の「各温度における分光放射エネルギー」を表すグラフ。図３には、本発明の第１の実施の形態に係る遠赤外線利用の穀物乾燥機の断面図。図４には、本発明の第２の実施の形態に係る遠赤外線利用の穀物乾燥機の断面図。図５には、本発明の第３の実施の形態に係る遠赤外線利用の穀物乾燥機の断面図。図６には、本発明の第４の実施の形態に係る遠赤外線利用の穀物乾燥機の断面図。図７には、第１の実施の形態を詳細に表した遠赤外線利用の穀物乾燥機の断面図。図８には、第１の実施の形態を詳細に表した遠赤外線利用の穀物乾燥機の斜視図である。
【００２３】
図１は「水の赤外吸収における吸収係数の波長依存性」を表したグラフであって、それぞれの水層の厚さによる波長の吸収係数を示している。このグラフから見ても解るように、波長２．６μｍ付近と波長６μｍ付近が水の吸収が良いことを示している。
【００２４】
図２には「各温度における分光放射エネルギー」を表すグラフであって、各温度に対しての波長と分光放射エネルギー密度をあらわしており、温度７００℃付近での最高波長は約３μｍ、温度２２７℃では最高波長は約６μｍであり、温度が高い場合、エネルギー密度も格段に多いことを示している。
【００２５】
また、図２のグラフを証明する方法として、「ステファン・ボルツマンの法則」（黒体の放射する全エネルギーは、その黒体の絶対温度の４乗に比例する）があり、その式は下記式であらわされる。
Ｅ＝α×ε×（Ｔ／１００）４  ×Ａ
Ｅ：遠赤外線放射熱量                          Ｋｃａｌ／ｈ
α：ステファン・ボルツマン定数                ４．８８
ε：放射率                                    ０．９
Ｔ：遠赤外線放射体の表面温度（無通風時）      °Ｋ（２７３．１５＋ｔ℃）
Ａ：放射体表面積                              ｍ２
この式らかもわかるように、放射体から放射されるエネルギーは、放射体の温度に対し、依存性が非常に高いことが伺える。
【００２６】
穀物に照射する遠赤外線の波長は、水に吸収されやすい波長「２．７４μｍ」「２．６６μｍ」「６．２７μｍ」の中で放射エネルギー密度を考慮すると「２．６６μｍ」の波長で、遠赤放射体の温度８１６．２℃がもっとも効率よく穀物を温め乾燥に利用できることになるが、放射体の素材として多用されているステンレスでは、連続加熱温度を８００℃上限としているものが多く８００℃の連続加熱は不可能であるので、水に吸収されやすく、穀物の温度の上昇を促して穀物の乾燥に用いる遠赤外線波長「６．２７μｍ」放射体表面温度１８９．０℃を下限とし、遠赤外線波長「２．６６μｍ」放射体表面温度８１６．２℃を上限とするものである。
【００２７】
図３の第１の実施の形態における遠赤外線利用の乾燥機は、穀物２を内部に貯留した貯留タンク３の下端には穀物排出部５を有し、穀物排出部５には排出バルブ４そして、穀物を貯留タンク３外に穀物２を排出する排出口６を備えている。また、排出口６の下空間には排出口６から落下する穀物２に対して遠赤外線を照射する遠赤放射体１を配設していて、穀物２が排出口６から落下するさいに遠赤放射体１に穀物２が接触することなく、穀物２の落下面に対向して遠赤外線を穀物２に照射しているものである。なお、図３では穀物排出部５の装置として排出バルブ４を例示しているが、シャッターの開度調節による排出装置でもよく（図示せず）また、貯留タンク３および穀物排出部５、排出バルブ４、排出口６及び、遠赤放射体１が奥行き方向に長い構成であっても良い。
【００２８】
貯留タンク３に貯留された穀物２は、穀物排出部５の排出バルブ４の回転または、シャッターを開口させることで穀物２を貯留タンク３内から、排出口６をへて貯留タンク３外に落下排出され、落下していく穀物２に遠赤外線放射体１の表面温度を１８９℃から８１６℃として遠赤外線放射体から放射されるスペクトル中心波長が６．２７μｍから２．６６μｍの遠赤外線を排出バルブ４の回転が遅いとき、シャッターの開度が狭いときは散粒状に、排出バルブ４の回転が早いとき、シャッターの開度が広いときは薄層状に穀物２に対向して照射するものである。
【００２９】
図４の第２の実施の形態における遠赤外線利用の穀物乾燥装置は、貯留タンク３内部に、上面には穀物が自然流下する程度の傾斜をもち側面には穀物が通過しない程度の多孔の通気性を有する隔壁Ａ８を備え、隔壁Ａ８内部には遠赤放射体１が配設されているものである。尚、図４では隔壁Ａ８の底面が開放になっているが、隔壁Ａ８の底面も側面と同等に通気性のある多孔の板で構成され、隔壁Ａ８が遠赤放射体１を取り囲んだ状態であっても良い（図示せず）。この隔壁Ａ８は貯留タンク３内に穀物２を貯留して出来る穀物層９に埋没するように設置されている。貯留タンク３の下端には穀物排出部５である排出バルブ４そして、穀物を貯留タンク３外に穀物２を排出する排出口６を備えている。図４では穀物排出部５の装置として排出バルブ４を例示しているが、シャッターの開度調節による排出装置でもよく（図示せず）また、貯留タンク３および隔壁Ａ８、穀物排出部５、排出バルブ４、排出口６及び、遠赤放射体１が奥行き方向に長い構成であっても良い。
【００３０】
貯留タンク３に貯留された穀物２は、穀物排出部５の排出バルブ４の回転または、シャッターを開口させる。このとき隔壁Ａ８と貯留タンク３の内面の間が、穀物２が排出口６から落下することで穀粒流下路７を形成する。この穀物２の流下に対して、遠赤外線放射体１の表面温度を１８９℃から８１６℃として遠赤外線放射体から放射されるスペクトル中心波長が６．２７μｍから２．６６μｍの遠赤外線を隔壁Ａ８の多孔穴から穀粒流下路７を隔壁Ａ８に隣接しながら流下する穀物２に照射て穀物の温度上昇を促し、その後穀物排出部５から排出口６をへて貯留タンク３外に落下排出される。
【００３１】
図５の第３の実施の形態における遠赤外線利用の穀物乾燥装置は、貯留タンク３上部に上面には穀物が自然流下する程度の傾斜をもった隔壁Ｂ１０を備えており、隔壁Ｂ１０の下部には遠赤放射体１が配設されている。尚、図５では隔壁Ｂ１０の側面が開放になっているが、図４の隔壁Ａ８のように側面のある隔壁Ｂ１０であっても良く、また側面の隔壁は通気性のある多孔の板で構成されていてもよい（図示せず）。この隔壁Ｂ１０と遠赤放射体１は、貯留タンク３内に穀物２を貯留しても穀物層９に埋没することが無いように設置されている。貯留タンク３の下端には穀物排出部５である排出バルブ４そして、穀物を貯留タンク３外に穀物２を排出する排出口６を備えている。図５では穀物排出部５の装置として排出バルブ４を例示しているが、シャッターの開度調節による排出装置でもよく（図示せず）また、貯留タンク３および隔壁Ｂ１０、穀物排出部５、排出バルブ４、排出口６及び、遠赤放射体１が奥行き方向に長い構成であっても良い。
【００３２】
貯留タンク３内に貯留しようとする穀物２は、隔壁Ｂ１０に接触するように投入され落下空間１２から穀物貯留表面１１に落下堆積する。穀物排出部５の排出バルブ４の回転または、シャッターを開口させることで穀物２は排出口６に向かい下方に流下していく。このとき落下空間１２と穀物貯留表面１１にある穀物２に対して、遠赤外線放射体１の表面温度を１８９℃から８１６℃として遠赤外線放射体から放射されるスペクトル中心波長が６．２７μｍから２．６６μｍの遠赤外線を照射て穀物の温度上昇を促し、穀温の上昇した穀物２は穀物排出部５に向かい流下し排出バルブ４又はシャッターそして排出口６をへて貯留タンク３外に落下排出される。
【００３３】
図６の第４の実施の形態における遠赤外線利用の穀物乾燥装置は、内部に穀物２を有した貯留タンク３の下端には水平方向に穀物２を搬送する搬送機１３を設けているものであって、搬送機１３の搬送面１５に隣接して遠赤放射体１が配設されているものである。図６では穀物を搬送機に搬送される量を調節する方法として、貯留タンク３と搬送機１３の隙間１３を調節する方法を示しているが、貯留タンク３下端に排出バルブの回転調節や、シャッターの開度調節及び搬送機の搬送速度の調節であっても良い（図示せず）。また、図６で示す搬送機はベルトコンベアであるがスクリューコンベアをも含むものである。
【００３４】
貯留タンク３内に貯留された穀物２は、搬送機１４の稼働により排出口６より搬送機１４上に随時落下し、水平方向に搬送される。この搬送行程で搬送機１４の搬送面１５に隣接された遠赤放射体１によって穀物２に対して、遠赤外線放射体１の表面温度を１８９℃から８１６℃として遠赤外線放射体から放射されるスペクトル中心波長が６．２７μｍから２．６６μｍの遠赤外線を照射て穀物の温度上昇を促し、穀温の上昇した穀物２は搬送機１４の他端より次行程に移動するものである。
【００３５】
図３の第１の実施の形態をより詳細に示した遠赤外線利用の穀物乾燥機を図７及び図８に示している。
図７、図８において１６は乾燥機本体であって、乾燥機本体１６の上段には穀物貯留槽１７が、中段には通風乾燥部１８が、さらに下段には穀物取出槽１９がそれぞれ設けられている。穀物取出槽１７の下部にはその前後方向全長にわたる穀物搬出コンベア２０が設けられており、穀物搬出コンベア２０と穀物貯留槽１７の上部の上部コンベア２１間は昇降機２２によって連絡されていて、穀物搬出コンベア２０、昇降機２２および上部コンベア２１を介して、穀物貯留槽１７、通風乾燥部１８、穀物取出槽１９、穀物貯留槽１７の経路で穀物が循環されるように構成されている。
【００３６】
上記通風乾燥部１８は通気壁により形成された複数の乾燥通路２３をなしていて、その乾燥通路２３を構成する熱風供給胴３６は、熱風供給室２４に連通し、排風胴３７は排風室２５に連通しており、排風室２５には吸引送風機２６が備えられている。
【００３７】
穀物取出槽１９は、その上部両側から穀物搬出コンベア２０の搬送樋３８にかけて傾斜する流穀板２７と両側壁２８とで囲まれて形成されている。
【００３８】
穀物取出槽１９内には、遠赤外線放射体２９が配設されており、この遠赤外線放射体２９は、穀物取出槽１９の前後方向略全長にわたる円筒形のものである。この遠赤外線放射体２９から放射される遠赤外線は、通風乾燥部１８の乾燥通路２３から繰出ロール３０の回転により繰り出されて、流穀板２７面上を穀物が散粒状ないし薄層状に流下する穀物に照射される。遠赤外線放射体２９の一端には、ガンタイプのバーナ３１の炎熱放射筒３２が軸心に臨ませてあり、遠赤外線放射体２９の他端に排気筒３３が軸心に接続されている。この排気筒３３は熱風供給室２４に導かれていて、その接続部に遠赤外線放射体２９側から排気を吸引する吸引圧力調整器３４が介在されている。遠赤外線放射体２９は、燃料の燃焼をガンタイプのバーナ３１で行い、炎熱放射筒３２の表面温度を１８９℃から８１６℃とし、より穀物の乾燥に適した波長の遠赤外線を放射するものである。
【００３９】
上記遠赤外線放射体２９の上方には、反射板３５が設けられている。この反射板３５は、遠赤外線放射体２９から放射される遠赤外線を流穀板２７，２７の方向に拡散状に反射して、流穀板２７の面上を流下する穀物に遠赤外線を均等に照射するためのものである。したがって、その形状および遠赤外線放射体２９からの距離等は、流穀板２７の面に向けて遠赤外線を均等に照射するのに適した状態に設定される。反射板３５はアルミニウム、ステンレススチール等の磨き板で構成される。
【００４０】
以上のように構成された遠赤外線利用の穀物乾燥装置において、穀物貯留槽１７から通風乾燥部１８の乾燥通路２３を流下する穀物は、熱風供給室２４から熱風供給胴３６を経て乾燥通路２３を横切り排風胴３７に流通して排風室２５に流通する吸引熱風で通風乾燥される。そして、通風乾燥部１８で通風乾燥された穀物は、各乾燥通路２３の下端にそれぞれ備えられた繰出ロール３０の回転により散粒状ないし薄層状をなして穀物取出槽１９内の流穀板２７上を流下し、その流下の過程で遠赤外線放射体２９からその表面温度の下限を１８９℃、上限を８１６℃としたときに放射される遠赤外線のスペクトル中心波長、６．２７μｍから２．６６μｍの遠赤外線が照射され、遠赤外線による乾燥が施される。
【００４１】
【発明の効果】
本発明によれば、流下する穀物若しく散粒状、薄層状のもとに排出された穀物に遠赤放射体の表面温度を下限１８９℃、上限８１６℃とした場合に照射される、穀物内に含まれる水分に吸収されやすい遠赤外線のスペクトル中心波長６．２７μｍから２．６６μｍを穀物に照射することによって、効率よく穀物の温度を上昇させ穀物内の水分を均一化し、より早く穀物の乾燥をすることが出来る。
【図面の簡単な説明】
【図１】「水の赤外吸収における吸収係数の波長依存性」を表したグラフである。
【図２】「各温度における分光放射エネルギー」を表すグラフである。
【図３】本発明の第１の実施の形態に係る遠赤外線利用の穀物乾燥機の断面図である。
【図４】本発明の第２の実施の形態に係る遠赤外線利用の穀物乾燥機の断面図である。
【図５】本発明の第３の実施の形態に係る遠赤外線利用の穀物乾燥機の断面図である。
【図６】本発明の第４の実施の形態に係る遠赤外線利用の穀物乾燥機の断面図である。
【図７】本発明の第１の実施の形態を詳細に表した遠赤外線利用の穀物乾燥機の断面図である。
【図８】本発明の第１の実施の形態を詳細に表した遠赤外線利用の穀物乾燥機の斜視図である。
【符号の説明】
１  遠赤放射体
２  穀物
３  貯留タンク
４  排出バルブ
５  穀物排出部
６  排出口
７  穀粒流下路
８  隔壁Ａ
９  穀物層
１０  隔壁Ｂ
１１  穀物貯留表面
１２  落下空間
１３  隙間
１４  搬送機
１５  搬送面
１６  乾燥機本体
１７  穀物貯留槽
１８  通風乾燥部
１９  穀物取出槽
２０  穀物搬出コンベア
２１  上部コンベア
２２  昇降機
２３  乾燥通路
２４  熱風供給室
２５  排風室
２６  吸引送風機
２７  流穀板
２８  両側壁
２９  遠赤外線放射体
３０  繰出ロール
３１  バーナ
３２  炎熱放射筒
３３  排気筒
３４  吸引圧力調整器
３５  反射板
３６  熱風供給胴
３７  排風胴
３８  搬送樋
【図１】
2004301464.tif 000003
【図２】
2004301464.tif 000004
【図３】
2004301464.tif 000005
【図４】
2004301464.tif 000006
【図５】
2004301464.tif 000007
【図６】
2004301464.tif 000008
【図７】
2004301464.tif 000009
【図８】
2004301464.tif 000010